(57)【要約】      （修正有）【課題】安定した開閉動作を行うことができるとともにコンパクト化及び軽量化を図ることができる眼鏡の蝶番を提供する。【解決手段】テンプル３をヨロイ５の切欠き５１、５２に回動自在に差し込むことによって形成する蝶番６である。上下方向に延びる小突起３３、３４を有するテンプル側のコマ３１、３２と、小突起が圧入されるヨコイ側の窪み５３又は孔５４を有する。テンプルが開放された位置と折り畳まれた位置の２か所で位置決めが行われるように、テンプル側及びヨロイ側双方に２個所ずつ、互いに係合が可能な第１・第２窪み５５、５７と第１・第２隆起３５を有する。【選択図】図２
0003212856.tif 000002
【実用新案登録請求の範囲】
【請求項１】
テンプル（３）をヨロイ（５）の切欠き（５１）に回動自在に差し込むことによって形成する蝶番（６）であって、
上下方向に延びる小突起（３３、３４）を有する、前記テンプル（３）側のコマ（３１、３２）と、
前記小突起（３３、３４）が圧入される、前記ヨコイ側の窪み（５３）又は孔（５４）を有し、
前記テンプル（３）が開放された位置と折り畳まれた位置の２か所で位置決めが行われるように、前記テンプル（３）側及び前記ヨロイ（５）側双方に２個所ずつ、互いに係合が可能な第１・第２窪み（５５，５７）と第１・第２隆起（３５、３６）を設けたことを特徴とする蝶番。
【請求項２】
前記テンプル３側の前記コマ（３１、３２）が２か所設けられ、前記小突起（３３、３４）は、前記コマ（３１、３２）のそれぞれから突出している請求項１記載の蝶番。
【請求項３】
前記第１窪み（５５）が、前記ヨロイ（５）の前記切欠き（５１）に設けられた段部（５２）上に設けられ、
前記第２窪み（５７）が、前記ヨロイ（５）側の前記切欠き（５１）上の突起（５６）表面に設けられ、
前記第１隆起（３５）が、前記コマ（３１）の外側湾曲面上に設けられ、
前記第２隆起（３６）が、前記テンプル（３）末端面に設けられた
請求項１又は２記載の蝶番。
【請求項４】
前記テンプル（３）側の前記第２隆起（３６）が前記ヨロイ側の前記第２窪み（５７）と係合したとき、位置決めが行われ、前記テンプルが全開放し、前記テンプル（３）側の前記第１隆起（３５）が前記ヨロイ側の前記第１窪み（５５）と係合したときにも、位置決めが行われ、前記テンプル（３）が完全に折り畳まれる請求項３記載の蝶番。
【考案の詳細な説明】
【技術分野】
【０００１】
本考案は、眼鏡の蝶番に関し、特に安定した開閉動作を行うことができるとともにコンパクト化及び軽量化を図ることができる眼鏡の蝶番に関する。
【背景技術】
【０００２】
眼鏡の蝶番は、一般にレンズ保持部及びテンプルにそれぞれ設けられたコマを回動軸となるネジにより連結して、テンプルを開閉可能とする。この蝶番は、ネジの締め具合によりテンプルの回動動作を調整することができ、ネジを強く締めるとコマの間の摩擦力が高まってテンプルの回動が重くなり、ネジを緩めるとテンプルの回動が軽くなる。
【０００３】
しかし、テンプルを開閉する際にコマ同士が圧接して動くため、テンプルの回動が重くなるとスムーズな開閉動作を実現することが難しく、逆にテンプルの回動が軽くなるとテンプルが不用意に動きやすくなる。その結果、テンプルを開いて装着したときやテンプルを閉じて眼鏡を保管するとき等にテンプルを安定した状態に設定することが難しくなる。また、テンプルを回動させる開閉動作を繰り返していくと、テンプルの回動に対する摩擦抵抗が次第に小さくなり、ネジの締め具合の再調整が必要になる。
【０００４】
このような蝶番の問題に対して、例えば、特許文献１では、２つの枠部分の一方に弾性付勢手段（バネ）を設けるとともに他方の枠部分にカム部材を設け、回転部材を弾性付勢手段によりカム部材に押し付けるように設定し、一方の枠部分の開閉動作の際に所定の開閉位置に安定して設定することができる眼鏡が記載されている。
【先行技術文献】
【特許文献】
【０００５】
【特許文献１】特開昭５９―１８８６１９号公報
【考案の概要】
【考案が解決しようとする課題】
【０００６】
上述した特許文献１では、弾性付勢手段（バネ）を蝶番に組み込んでいるため、蝶番のサイズが大きくなり、眼鏡枠の軽量化やコンパクト化が難しくなっていた。そして、眼鏡枠のデザインを検討する上で、蝶番のサイズを考慮しなければならなくなり、デザインの自由度に制約を受けていた。
【０００７】
そこで、本考案は、安定した開閉動作を行うことができるとともにコンパクト化及び軽量化を図ることができる蝶番を有する眼鏡を提供することを目的とする。
【課題を解決するための手段】
【０００８】
上記目的を達成する本考案の蝶番は、テンプル３をヨロイ５の切欠き５１、５２に回動自在に差し込むことによって形成する蝶番６であって、上下方向に延びる小突起３３、３４を有する、前記テンプル３側のコマ３１、３２と、前記小突起３３、３４が圧入される、前記ヨコイ側の窪み５３又は孔５４とを有し、前記テンプル３が開放された位置と折り畳まれた位置の２か所で位置決めが行われるように、前記テンプル３側及び前記ヨロイ５側双方に２個所ずつ、たがいに係合が可能な第１・第２窪み５５，５７と第１・第２隆起３５、３６を設けたことを特徴とする。
【０００９】
好ましくは、前記テンプル３側の前記コマ３１、３２は２か所設け、前記小突起３３、３４は、それぞれのコマから突出させる。
【００１０】
好ましくは、前記第１窪みは、前記ヨロイの前記切欠きの段部上に設け、前記第２窪みは、前記ヨロイ５側の前記切欠き５１上の突起５６表面に設け、前記第１隆起は、前記コマ３１の外側湾曲面上に設け、前記第２隆起は、前記テンプル末端面に設ける。
【００１１】
上記構成においては、前記テンプル３側の前記第２隆起３６が前記ヨロイ側の前記第２窪み５７と係合したとき、位置決めが行われ、前記テンプルが全開放する。前記テンプル３側の前記第１隆起３５が前記ヨロイ側の前記第１窪み５５と係合したときにも、位置決めが行われ、前記テンプルは完全に折り畳まれる。
【考案の効果】
【００１２】
本考案によれば、テンプルが開放された位置と折り畳まれた位置の２か所で正しく位置決めが行われる。従来技術と異なり、そのためにバネなどを設けないので、コンパクト化及び軽量化を図ることができる。
【００１３】
以下、添付の図面に基づいて、本考案の実施例を説明する。
【図面の簡単な説明】
【００１４】
【図１】本考案の実施例に係る蝶番を有する眼鏡枠の平面図である。
【図２】蝶番部分の分解拡大図である。
【図３】テンプル末端接合部を外部側から見た斜視図である。
【図４】テンプル末端接合部を内部側から見た斜視図である。
【図５】（ａ）〜（ｄ）は、蝶番の動きを示す横断面図である。
【考案を実施するための形態】
【００１５】
図１〜５に示すように、本考案実施例の眼鏡１は、レンズ２を除き全体が合成樹脂製である。テンプル３と眼鏡枠４のヨロイ５との接続部に蝶番６を有する。蝶番６は、図２に示すように、テンプル３側の２個所のコマ３１、３２をヨロイ５側の切欠き５１、５２に回動自在に差し込むことによって形成する。
【００１６】
図２〜４に示すように、テンプル３側の２か所のコマ３１、３２はそれぞれ上下方向に延びる小突起３３、３４を有する。この小突起３３、３４がヨコイ側の窪み５３又は孔５４に圧入されることにより蝶番６が完成する。圧入するときには、２か所のコマ３１、３２を互に近づける方向に圧縮して互いの距離を縮めた後に、その復元力を利用して小突起３３、３４の圧入が行われる。完成状態では、小突起３３、３４が回動のための中心ピンとなっている。
【００１７】
本考案の蝶番６では、テンプル３を開いた状態と折り畳んだ状態の２か所において、位置決めが行われる。以下、その位置決めのための機構を説明する。
【００１８】
図２から見て取れるように、ヨロイ５側の切欠きは２段階となっている。開放側に位置するのは広い第１段５１で、レンズ側に位置するのが狭い第２段５２である。第２段５２を形成する壁面上に半球状の細長い窪み５５（「第１窪み５５」）が形成されている。また、ヨロイ５側の切欠き５１中央部に三角柱状の突起５６が横たわっており、その三角柱の底部にあたる部分に半球状の細長い窪み５７（「第２窪み５７」）が形成されている。第１、第２窪み５５，５７はいずれも眼鏡の上下方向に延びている。
【００１９】
次に、図３、４から見て取れるように、上側コマ３１の外側湾曲面に半球状の細長い隆起３５（「第１隆起３５」）が形成されている。また、上下コマ３１、３２の間のテンプル末端面には半球状の細長い隆起３６（「第２隆起３６」）が形成されている。第１、第２隆起３５、３６はいずれも眼鏡の上下方向に延びている。
【００２０】
図５は、第１、第２窪み５５，５７及び第１、第２隆起３５、３６の関係を示している。図５（ａ）はヨロイ５とテンプル３の結合前である。（ｂ）が結合完成時で、テンプル３が開放された位置である。このとき、テンプル３側の第２隆起３６がヨロイ側の第２窪み５７と係合して、位置決めが行われる。この状態から力を加えて係合を外した状態が（ｃ）の折り畳み開始状態である。折り畳みが完了すると（ｄ）の状態となる。このとき、テンプル３側の第１隆起３５がヨロイ側の第１窪み５５と係合して、位置決めが行われる。
【００２１】
すなわち、本考案の蝶番では、テンプル３が開放された位置と折り畳まれた位置の２か所で位置決めが行われる。そのため、特に力を加えない限り、それらの位置にとどまるので、眼鏡を正しい位置で使用し、正しい位置で収納することができる。
【符号の説明】
【００２２】
１     眼鏡
２     レンズ
３     テンプル
３１，３２    コマ
３３   小突起
３５   第１隆起
３６   第２隆起
４     眼鏡枠
５     ヨロイ
５１   第１段
５２   第２段（段部）
５４   孔
５５  第１窪み
５７  第２窪み
６     蝶番
【図１】
0003212856.tif 000003
【図２】
0003212856.tif 000004
【図３】
0003212856.tif 000005
【図４】
0003212856.tif 000006
【図５】
0003212856.tif 000007